(57)【要約】【課題】分類されている画像群を適切に表示すること。【解決手段】画像表示装置１は、類似情報に基づいて分類された複数の画像を含む画像群のデータを読出す読出し手段１１と、読出されたデータに基づいて、画像群を代表する代表画像および画像群に含まれる他の画像を類似情報に応じた重ね量で表示手段２１に重ね表示させるための表示制御信号を生成する表示制御手段１８と、を備える。【選択図】図１
2011227320.tif 000002
【特許請求の範囲】
【請求項１】
類似情報に基づいて分類された複数の画像を含む画像群のデータを読出す読出し手段と、
前記読出されたデータに基づいて、前記画像群を代表する代表画像および前記画像群に含まれる他の画像を前記類似情報に応じた重ね量で表示手段に重ね表示させるための表示制御信号を生成する表示制御手段と、
を備えることを特徴とする画像表示装置。
【請求項２】
請求項１に記載の画像表示装置において、
前記表示制御手段は、前記代表画像および前記他の画像間の類似度が高いほど重ね量を大きくし、前記類似度が低いほど重ね量を小さくするように前記表示制御信号を生成することを特徴とする画像表示装置。
【請求項３】
請求項１または２に記載の画像表示装置において、
前記読出し手段は、２以上の画像群のデータを読出し、
前記表示制御手段は、前記画像群ごとに前記重ね表示をさせるための前記表示制御信号を生成することを特徴とする画像表示装置。
【請求項４】
請求項３に記載の画像表示装置において、
操作部材と、
前記表示手段に前記重ね表示されている第１の画像群から該第１の画像群と異なる第２の画像群へ所定の画像の移動を指示する信号が前記操作部材から入力された場合に、前記指示に対応する画像のデータを前記第１の画像群から前記第２の画像群へ移動させる分類修正手段と、
をさらに備えることを特徴とする画像表示装置。
【請求項５】
請求項１〜４のいずれか一項に記載の画像表示装置において、
前記画像群に含まれる画像に前記類似情報に応じて序列を付与する序列付与手段と、
前記付与された序列に基づいて前記画像群に含まれる画像を前記表示手段に順次表示させる順次表示制御手段と、
をさらに備えることを特徴とする画像表示装置。
【請求項６】
請求項５に記載の画像表示装置において、
前記順次表示制御手段は、前記代表画像および前記他の画像間の類似度の高低に応じて当該他の画像の表示時間を変化させることを特徴とする画像表示装置。
【発明の詳細な説明】
【技術分野】
【０００１】
本発明は、画像表示装置に関する。
【背景技術】
【０００２】
表示可能な複数画像の管理情報に基づいて画像を抽出し、抽出画像を順次表示するデジタルフォトフレームが知られている（特許文献１参照）。
【先行技術文献】
【特許文献】
【０００３】
【特許文献１】特開２０１０−２１６９１号公報
【発明の概要】
【発明が解決しようとする課題】
【０００４】
従来技術では、撮影日時情報や撮影場所情報などに基づいて抽出した画像を順次表示するのみで、抽出された画像群ごとの関係がわかりづらいという問題があった。
【課題を解決するための手段】
【０００５】
本発明による画像表示装置は、類似情報に基づいて分類された複数の画像を含む画像群のデータを読出す読出し手段と、読出されたデータに基づいて、画像群を代表する代表画像および画像群に含まれる他の画像を類似情報に応じた重ね量で表示手段に重ね表示させるための表示制御信号を生成する表示制御手段と、を備えることを特徴とする。
【発明の効果】
【０００６】
本発明による画像表示装置では、分類されている画像群を適切に表示できる。
【図面の簡単な説明】
【０００７】
【図１】本発明の一実施の形態によるＤＰＦの構成を例示する図である。
【図２】グループ表示しているディスプレイの表示画面を例示する図である。
【図３】フォーカス調節に用いられた領域の位置を例示する図である。
【図４】比較対象領域に基づく比較対象画素群を例示する図である。
【図５】追尾制御で用いられた領域の位置を例示する図である。
【図６】追尾領域に基づく比較対象画素群を例示する図である。
【図７】追尾制御を行って撮影された画像を例示する図である。
【図８】３枚のテンプレート画像を例示する図である。
【図９】グループ表示しているディスプレイの表示画面を例示する図である。
【発明を実施するための形態】
【０００８】
以下、図面を参照して本発明を実施するための形態について説明する。図１は、本発明の一実施の形態によるデジタルフォトフレーム（以下、ＤＰＦという）の構成を例示する図である。図１において、ＤＰＦ１は、ＣＰＵ１１と、ＵＳＢコントローラ１２と、ＵＳＢコネクタ１３と、カードコントローラ１４と、カードスロット１５と、インターフェースドライバ（以下、I/Fドライバと記す）１６と、メモリ１７と、ＬＣＤドライバ１８と、操作部材２０と、ディスプレイ２１と、電源コントローラ２２とを有し、バッテリ１９が装填されている。
【０００９】
ＣＰＵ１１は、ＤＰＦ１の各部を統括的に制御する。ＵＳＢコントローラ１２は、ＵＳＢコネクタ１３に接続される外部機器（たとえばパーソナルコンピュータ５１など）とＣＰＵ１１との間の通信制御を行う。
【００１０】
カードコントローラ１４は、ＣＰＵ１１からの指示に応じてカードスロット１５に装着されるメモリカード５２に対するデータの書込み、および該メモリカード５２からのデータの読出しを行う。メモリカード５２には、画像や音楽等のデータが記録される。
【００１１】
I/Fドライバ１６は、操作部材２０を構成するスイッチが操作されると、どのスイッチが操作されたかを示す操作信号をＣＰＵ１１へ送出する。操作部材２０には、電源スイッチやメニュースイッチなどが含まれる。メモリ１７は、ＣＰＵ１１のワークメモリとして使用される他、メモリカード５２から読出した画像や音楽等のデータ、ＵＳＢコネクタ１３を介して外部機器から受信した画像や音楽のデータなどを一時的に記憶する。
【００１２】
ＬＣＤドライバ１８は、ＣＰＵ１１からの指示に応じて画像やメニュー操作画面等をディスプレイ２１に表示するための表示制御を行う。ディスプレイ２１は、液晶表示器などによって構成される。電源コントローラ２２は、バッテリ１９の電圧をＤＰＦ１内の各部で必要な電圧に変換して各部へ供給する。電源コントローラ２２はさらに、外部電源５３から電力が供給される場合には、バッテリ１９の代わりに外部電源５３からの電力を用いる。
【００１３】
＜画像再生表示＞
上記ＤＰＦ１は、画像データに基づいてディスプレイ２１に画像を再生表示する再生モードとして、１コマ再生モードとスライドショー再生モードとを有する。再生モードの切り替えは、たとえばメニュー操作によって行う。１コマ再生は、１コマの画像をディスプレイ２１に再生表示する。表示に用いる画像データは、ＵＳＢコネクタ１３に接続される外部機器５１から受信した画像データ、またはカードスロット１５に装着されているメモリカード５２で記憶されている画像データの中から選択された画像データである。画像データの選択は、たとえばメニュー操作によって行う。
【００１４】
スライドショー再生は、複数コマの画像データによる再生画像をディスプレイ２１に１コマずつ順次表示する。順次表示する画像データは、あらかじめグループ分類されている複数の画像データを用いる。画像データを関連づけてグループ分類する方法については後述する。
【００１５】
＜グループ表示＞
本実施形態のＤＰＦ１は、グループ分類されている画像群を表示するグループ表示機能を備える。ＤＰＦ１は、メニュー操作によってグループ表示が指示されると、グループ分類された画像群を示すグループ表示を行う。図２は、グループ表示しているディスプレイ２１の表示画面を例示する図である。図２において、表示画面にウィンドウ１０１とウィンドウ２０１とが表示されている。
【００１６】
ウィンドウ１０１内には、グループが一覧表示される。１つのグループは、当該グループを構成する複数の画像にそれぞれ対応するサムネイル画像の集まり（サムネイル画像群）として表示する。サムネイル画像は、本画像に比べてデータサイズ（画素数）が小さい縮小画像である。本実施形態では、画像ファイル内に本画像データとともに格納されているサムネイル画像データを用いてグループ表示を行う。
【００１７】
図２の例では、２つのグループ（サムネイル画像群１１０とサムネイル画像群１２０）が表示されている。なお、グループを囲む楕円は、説明のために表記したものである。ＣＰＵ１１は、バー１１１を上下にスライドさせる操作信号が操作部材２０から入力された場合、該操作信号に応じてウィンドウ１０１内の表示内容を上下にスクロールさせる。これにより、サムネイル画像群１１０および１２０以外の他のサムネイル画像群を表示することができる。
【００１８】
ＣＰＵ１１は、代表サムネイル画像１１１をサムネイル画像群１１０の１番上に表示し、サムネイル画像群１１０を構成する他のサムネイル画像は、少なくとも一部を代表サムネイル画像１１１と重ねて表示する。代表サムネイル画像１１１は、サムネイル画像群１１０をグループ分類した際の基準画像に対応する。代表サムネイル画像１１１と他のサムネイル画像との重なり量（重なり面積）は、グループ分類の際の類似度に応じて異ならせる。具体的には、代表サムネイル画像１１１との間で類似度が高いサムネイル画像ほど重なり面積を広くし、代表サムネイル画像１１１との間で類似度が低いサムネイル画像については重なり面積を狭くする。
【００１９】
サムネイル画像群１２０についても同様である。すなわち、代表サムネイル画像１２１をサムネイル画像群１２０の１番上に表示し、サムネイル画像群１２０を構成する他のサムネイル画像は、少なくとも一部を代表サムネイル画像１２１と重ねて表示する。
【００２０】
以上説明したウィンドウ１０１内の表示によれば、類似度の高い画像群の場合はサムネイル画像群が広がらずにまとまりよく表示され、類似度の低い画像群の場合はサムネイル画像群が広がって表示される。
【００２１】
ウィンドウ２０１には、目的別のフォルダ２１１〜２１４が一覧表示される。フォルダ２１１は、プリント対象とする画像ファイルの複製を格納するフォルダである。プリントは外部機器が行う。フォルダ２１１内にに所定の画像ファイルを複製しておくと、ＵＳＢコネクタ１３にプリンタ（不図示）が接続されている場合に、フォルダ２１１内に存在する複製についてプリントさせることが可能になる。
【００２２】
ＣＰＵ１１は、たとえば、ウィンドウ１０１内に表示されているサムネイル画像をウィンドウ２０１内のフォルダ２１１へドラッグおよびドロップする操作信号が操作部材２０から入力された場合に、当該サムネイル画像１１１に対応する原画像ファイルの複製をフォルダ２１１内に生成する。ＣＰＵ１１はさらに、上記複製を生成した際に、原画像ファイルにプリントタスクを示すタグを付加する。該タグの削除は、プリント終了時に行う他、フォルダ２１１内から複製を削除した際に行うようにしてもよい。図２は、ポインタ１０３によってサムネイル画像１１１Ｂがドラッグされている状態を示している。
【００２３】
フォルダ２１２は、アルバムに載せる画像ファイルの複製を格納するフォルダである。フォルダ２１２内に所定の画像ファイルを複製しておくと、フォルダ２１２内に存在する複製について所定のアルバムに含めることが可能になる。
【００２４】
ＣＰＵ１１は、たとえば、ウィンドウ１０１内に表示されているサムネイル画像をウィンドウ２０１内のフォルダ２１２へドラッグおよびドロップする操作信号が操作部材２０から入力された場合に、当該サムネイル画像に対応する原画像ファイルの複製をフォルダ２１２内に生成する。ＣＰＵ１１はさらに、上記複製を生成した際に、原画像ファイルにアルバム生成タスクを示すタグを付加する。該タグの削除は、アルバム生成終了時に行う他、フォルダ２１２内から複製を削除した際に行うようにしてもよい。
【００２５】
フォルダ２１３は、レタッチ対象とする画像ファイルの複製を格納するフォルダである。フォルダ２１３内に所定の画像ファイルを複製しておくと、フォルダ２１３内に存在する複製について所定の加工処理をさせることが可能になる。
【００２６】
ＣＰＵ１１は、たとえば、ウィンドウ１０１内に表示されているサムネイル画像をウィンドウ２０１内のフォルダ２１３へドラッグおよびドロップする操作信号が操作部材２０から入力された場合に、当該サムネイル画像に対応する原画像ファイルの複製をフォルダ２１３内に生成する。ＣＰＵ１１はさらに、上記複製を生成した際に、原画像ファイルにレタッチタスクを示すタグを付加する。該タグの削除は、レタッチ終了時に行う他、フォルダ２１３内から複製を削除した際に行うようにしてもよい。
【００２７】
フォルダ２１４は、いわゆるゴミ箱である。フォルダ２１４内に存在する画像ファイルについて、まとめて削除処理が可能になる。
【００２８】
＜グループ間の画像ファイルの移動＞
ＣＰＵ１１は、ウィンドウ１０１内に表示されているサムネイル画像を当該ウィンドウ１０１内で別のサムネイル画像群の代表画像に重ねるようにドラッグおよびドロップする操作信号が操作部材２０から入力された場合に、当該サムネイル画像に対応する原画像ファイルをグループ間で移動させる。たとえば、代表サムネイル画像１２１を有するサムネイル画像群１２０から代表サムネイル画像１１１を有するサムネイル画像群１１０へ移動させる。これにより、自動的にグループ分類されたグループ間で、グループに属する画像ファイルを移動させることができる（自動分類結果に対する修正）。
【００２９】
＜グループ分類＞
画像を自動的にグループ分類するグループ分類処理について記載する。ＣＰＵ１１は、複数の画像の間で類似度を判定し、類似度が相互に所定値以上となる画像を集めた画像群を１つのグループとして扱う。このグループは、上述したスライドショー再生の対象としたり、グループ表示の１単位として用いる。
【００３０】
類似度の判定は、対比する画像間で画像の所定範囲の領域を比較して行う。具体的には、両画像から比較対象領域を構成する画素データを抽出し、対応する画素同士の差分を積算し、該積算値が所定の判定閾値を超えているか否かに基づいて類似判定を行う。積算値が所定の判定閾値以下である場合は、両画像を関連づけて同じグループとして扱う。一般に、積算値が小さいほど類似度が高く、積算値が大きいほど類似度が低くなる。この判定手法は、たとえば特開平６−８３９６３号公報に開示されているように公知であるので、詳しい説明は省略する。
【００３１】
ＣＰＵ１１は、たとえばメニュー操作によって以下の４つからあらかじめ選択されている方法により、類似度判定に用いる比較対象を決定する。
１．撮影時にフォーカスを合わせた位置に存在する画素群
２．撮影時に行った追尾制御に用いた追尾対象位置に存在する画素群
３．撮影時に行った追尾制御に用いたテンプレート画像を構成する画素群
４．操作部材２０からの操作信号によって指示された範囲に含まれる画素群
【００３２】
上記１および２の場合の位置情報や、上記３で用いるテンプレート画像情報は、画像ファイル内の所定領域に格納されている。追尾制御とは、フォーカスを合わせる対象を被写体の動きに連動して撮影画面内で追跡し、追跡した被写体を対象にフォーカス調節を連続して行う公知の技術である。本説明では追尾制御の詳細な説明は省略する。
【００３３】
テンプレート画像は、追尾制御において追跡する対象物の画像である。テンプレート画像は、対象物の変化に応じて更新されるため、直近の所定枚数（たとえば４枚）のテンプレート画像が画像ファイル内に格納される。ＣＰＵ１１は、上記１、２の場合は位置情報に基づいて撮影画像から該当領域を構成する画素群を抽出して類似度判定に用いる。ＣＰＵ１１は、上記３の場合はテンプレート画像を構成する画素群を類似度判定に用いる。
【００３４】
なお、上記１〜３のうちいずれかの方法が選択されたものの、画像ファイル内に該当する情報が格納されていない場合には、ＣＰＵ１１が上記４を自動選択し、類似度判定に用いる画像の範囲を指示する操作をユーザーに促すように、ディスプレイ２１にメッセージを表示させる。
【００３５】
図３は、上記１の場合においてフォーカス調節に用いられた領域の位置を例示する図である。電子カメラが複数のフォーカス検出領域でそれぞれフォーカス調節情報を検出し、該電子カメラに最も近い至近被写体に対応するフォーカス検出領域を選んでピント合わせを行う場合、該電子カメラで撮影された画像ファイルには、ピント合わせに使用されたフォーカス検出領域を示す情報が保存されている。上記１が選択されている場合のＣＰＵ１１は、フォーカス検出領域を示す情報を用いて比較対象画素群を特定する。
【００３６】
図３において、撮影画像３０に重ねて表示した４４個の四角形は、それぞれフォーカス検出領域を表す。４４個のうち太枠で示された５つの四角形３１−３５は、ピント合わせに使用されたフォーカス検出領域を表す。ＣＰＵ１１は、５つのフォーカス検出領域３１−３５を含む領域４１の位置情報に基づいて、該領域４１に対応する画素群を特定して比較対象画素群とする。図４は、比較対象領域４１に基づく比較対象画素群を例示する図である。
【００３７】
図５は、上記２における追尾制御で用いられた領域の位置を例示する図である。追尾制御を行う上記２が選択されている場合のＣＰＵ１１は、追跡した被写体領域を示す情報を用いて比較対象画素群を特定する。
【００３８】
図５において、撮影画像６０に重ねて表示した四角形６１は追尾制御で使用された領域を表す。ＣＰＵ１１は、この追尾領域６１の位置情報に基づいて、該追尾領域７１を構成する画素群を特定して比較対象画素群とする。図６は、追尾領域６１に基づく比較対象画素群７１を例示する図である。
【００３９】
図７は、上記３における追尾制御を行って撮影された画像８０を例示する図である。追尾制御を行う上記３が選択されている場合のＣＰＵ１１は、追跡した主要被写体を表すテンプレート画像から比較対象画素群を特定する。
【００４０】
図８は、画像ファイルに格納されている３枚のテンプレート画像８１−８３を例示する図である。ＣＰＵ１１は、たとえば、３枚のテンプレート画像８１−８３のうち直近のテンプレート画像８１を構成する画素群を比較対象画素群とする。
【００４１】
たとえば、画像１〜画像８で構成される画像群をグループ分類する場合を例に説明する。ＣＰＵ１１は、８枚の画像の比較対象画素群を総当たりで８の階乗回の比較を行うことによってグループ分けを行う。上述したように、対比した画像間で積算値が所定の判定閾値以下の場合、両画像を関連づけてグループを形成する。
【００４２】
なお、比較対象画素群は、比較する画像間でホワイトバランス調整係数、露出条件が異なる場合は、一方の画像で採用されているホワイトバランス調整係数、露出条件に他方の画像の調整計数や露出条件に揃えてから（画質の規格化という）比較を行う。また、比較する画像間で撮影レンズの焦点距離や被写体距離が異なる場合は、比較対象となる主要被写体を構成する画素数を両画像間で揃えてから（被写体サイズの規格化という）比較を行う。
【００４３】
ここで、グループＡに画像１、画像４および画像６が、グループＢに画像２および画像５が、グループＣに画像３および画像８が、グループＤに画像７が、それぞれ分類された場合を説明する。ＣＰＵ１１は、複数の画像が含まれるグループＡ、グループＢ、およびグループＣについて、それぞれのグループにおける画像の序列を決める。
【００４４】
序列は、たとえば、類似度の高い順、または低い順に決定する。また、画像ファイルに記録されている付加情報（撮影日時情報、ＧＰＳ情報が得られる場合は撮影位置情報、コンパスを有する場合は撮影方位情報）を用いて、撮影日時の古い順や新しい順に決定したり、グループ内における最先の撮影画像と撮影位置が近い順や、該最先の撮影画像と撮影方向が近い順に決定したりすることができる。どの判定基準によって序列を決定するかは、あらかじめメニュー操作によって適宜設定可能に構成される。
【００４５】
以上のようにグループ分類された場合、グループＡ、グループＢ、グループＣ、およびグループＤに対し、それぞれグループ名称を付与することが可能に構成される。ＣＰＵ１１は、ユーザーによってメニュー操作で入力された名称をグループ名として管理する。グループ名称は、グループを構成する画像群の関連づけを示すメタデータとして該グループの各画像ファイル内に記録したり、分類された画像ファイルを格納するフォルダを生成し、該フォルダの名称として管理することもできる。
【００４６】
＜スライドショー再生制御＞
ＣＰＵ１１は、スライドショー再生する際、上記決定した序列に基づいて、降順に再生を行う。各コマの再生間隔は、等間隔で再生する他、上記グループ表示の際の重なり量に応じて変化させてもよい。たとえば、代表サムネイル画像１１１との間の重なり面積が広い（すなわち代表サムネイル画像１１１との間で類似度が高い）ほど当該コマの再生時間を短くするように短い間隔で再生し、代表サムネイル画像１１１との間の重なり面積が狭い（すなわち代表サムネイル画像１１１との間で類似度が低い）ほど当該コマの再生時間を長くするように長い間隔で再生する。等間隔再生と、再生間隔の自動変更再生との切替えは、たとえばメニュー操作によって行う。
【００４７】
以上説明した実施形態によれば、次の作用効果が得られる。
（１）ＤＰＦ１は、類似情報に基づいて分類された複数の画像を含む画像群のデータを読出すＣＰＵ１１と、読出されたデータに基づいて、画像群を代表する代表画像および画像群に含まれる他の画像を類似情報に応じた重ね量でディスプレイ２１に重ね表示させるための表示制御信号を生成するＬＣＤドライバ１８とを備えるので、分類されている画像群を適切に表示できる。たとえば、類似度の高い画像群の場合は画像群を広げないようにまとまりよく表示し、類似度の低い画像群の場合は画像群を広げて表示するから、直感的に類似の程度がわかる。
【００４８】
（２）ＬＣＤドライバ１８は、代表画像および他の画像間の類似度が高いほど重ね量を大きくし、類似度が低いほど重ね量を小さくするように表示制御信号を生成するので、表示重なり具合から類似度の高低がよくわかる。
【００４９】
（３）ＣＰＵ１１は、２以上の画像群のデータを読出し、ＬＣＤドライバ１８は、画像群ごとに重ね表示をさせるための表示制御信号を生成するので、複数のグループについて画像群を適切に表示できる。
【００５０】
（４）操作部材２０と、ディスプレイ２１に重ね表示されている第１の画像群から該第１の画像群と異なる第２の画像群へ所定の画像の移動を指示する信号が操作部材２０から入力された場合に、指示に対応する画像のデータを第１の画像群から第２の画像群へ移動させるＣＰＵ１１と、をさらに備えるので、グループ間の分類修正を容易に行える。
【００５１】
（５）画像群に含まれる画像に類似情報に応じて序列を付与するＣＰＵ１１と、付与された序列に基づいて画像群に含まれる画像をディスプレイ２１に順次表示させるＣＰＵ１１とをさらに備えるので、適切な順序でスライドショー表示させることができる。
【００５２】
（６）ＣＰＵ１１は、代表画像および他の画像間の類似度の高低に応じて当該他の画像の表示時間を変化させるようにしたので、適切な時間でスライドショー表示させることができる。
【００５３】
（変形例１）
上述したグループ表示画面において、代表サムネイル画像についての比較対象画素群を示す表示をしてもよい。図９は、グループ表示しているディスプレイ２１の表示画面を例示する図である。図２に比べて、代表サムネイル画像に重ねて比較対象画素群を表示している点が異なる。図９において、代表サムネイル画像１１１に比較対象画素群を示す枠９１が表示されている。また、代表サムネイル画像１２１に比較対象画素群を示す枠９２が表示されている。グループ分けの際の比較対象画素群を表示することで、何を基準にグループ分けしたかをわかりやすく表示できる。
【００５４】
（変形例２）
上述したスライドショー再生制御において、上記決定した序列に基づいて、昇順に再生を行うようにしてもよい。再生順序の切替は、メニュー操作によって行う。また、再生時間については、代表サムネイル画像１１１との間の重なり面積が広い（すなわち代表サムネイル画像１１１との間で類似度が高い）ほど当該コマの再生時間を長くするように長い間隔で再生し、代表サムネイル画像１１１との間の重なり面積が狭い（すなわち代表サムネイル画像１１１との間で類似度が低い）ほど当該コマの再生時間を短くするように短い間隔で再生するように、メニュー操作により切替え自在に構成してもよい。
【００５５】
（変形例３）
以上の説明では、ＤＰＦを例に説明したが、電子カメラがそのディスプレイに撮影画像をグループ表示する場合や、プロジェクタが画像のグループ表示像をスクリーンへ投影する場合にも本発明を適用してよい。
【００５６】
以上の説明はあくまで一例であり、上記の実施形態の構成に何ら限定されるものではない。
【符号の説明】
【００５７】
１…ＤＰＦ
１１…ＣＰＵ
２０…操作部材
２１…ディスプレイ
９１，９２…比較対象画素群（比較対象領域）を示す枠
１０１、２０１…ウィンドウ
１１０、１２０…サムネイル画像群
１１１、１２１…代表サムネイル画像
２１１〜２１４…フォルダ
【図１】
2011227320.tif 000003
【図２】
2011227320.tif 000004
【図３】
2011227320.tif 000005
【図４】
2011227320.tif 000006
【図５】
2011227320.tif 000007
【図６】
2011227320.tif 000008
【図７】
2011227320.tif 000009
【図８】
2011227320.tif 000010
【図９】
2011227320.tif 000011